(57)【要約】      （修正有）【課題】より安定して輝度ムラを抑制可能な光制御板を提供する。【解決手段】光制御板は、第１の方向に延在すると共に第１の方向に直交する第２の方向に並列配置された複数の凸状部が第２の面に形成されている第１、第２の光制御板が、互いに重ね合わされてなる。第２の光制御板は第１の方向が第１の光制御板の第１の方向に対して並行であり、第１の面が第１の光制御板の第２の面と向かい合っている。第１、第２の光制御板：凸状部の輪郭形状が０．９５×Ｚ10（ｘ）≦ｚ1（ｘ）≦１．０５×Ｚ10（ｘ）〔Ｚ10（ｘ）は、2011085838.tif 000006で定義される。〕を満たすｚ1（ｘ）で表される。【選択図】なし【特許請求の範囲】
【請求項１】
第１の面から入射した光が該第１の面と反対側に位置する第２の面から出射可能であり、かつ、第１の方向に延在すると共に、該第１の方向に直交する第２の方向に並列配置された複数の凸状部が前記第２の面に形成されている第１の光制御板および第２の光制御板が、互いに重ね合わされてなる複合光制御板であって、
前記第１の光制御板は、以下に定義されるものであり、
前記第２の光制御板は、以下に定義されるものであり、
前記第２の光制御板は、第１の方向が前記第１の光制御板の第１の方向に対して平行であり、かつ第１の面が第１の光制御板の第２の面と向かい合っていることを特徴とする複合光制御板。
第１の光制御板：前記凸状部の前記第１の方向に直交する断面において、当該凸状部の前記第２の方向に対する両端をとおる軸線をｘ軸とし、前記ｘ軸上において前記両端の中心をとおり前記ｘ軸に直交する軸線をｚ軸としたとき、
上記断面において前記凸状部の輪郭形状が、−０．４７５×ｗ1a ≦ ｘ ≦ ＋０．４７５×ｗ1a〔式中、ｗ1aは前記凸状部のｘ軸方向の長さである。〕で示されるｘの範囲において、式（１−１）
０．９５×Ｚ10（ｘ）≦ ｚ1（ｘ）≦ １．０５×Ｚ10（ｘ）・・・（１−１）
〔式（１−１）において、Ｚ10（ｘ）は、式（１−２）
2011085838.tif 000004
（式（１−２）において、ｗ1aは前記と同じ意味であり、ｈ1aは０．３７５ｗ1a〜０．８２０ｗ1aであり、ｋ1aは−１以上０．２７３以下であり、
ｈ1a、ｗ1aおよびｋ1aは式（１−３）
−３．２８７×（ｈ1a／ｗ1a）＋１．０６２ ≦ ｋ1a ≦ −０．５６７×（ｈ1a／ｗ1a）＋０．４８５…（１−３）
を満足する。）
で定義される。〕
を満たすｚ1（ｘ）で表される光制御板。
第２の光制御板：前記凸状部の前記第１の方向に直交する断面において、当該凸状部の前記第２の方向に対する両端をとおる軸線をｘ軸とし、前記ｘ軸上において前記両端の中心をとおり前記ｘ軸に直交する軸線をｚ軸としたとき、
上記断面において前記凸状部の輪郭形状が、−０．４７５×ｗ2a ≦ ｘ ≦ ＋０．４７５×ｗ2a〔式中、ｗ2aは前記凸状部のｘ軸方向の長さである。〕で示されるｘの範囲において、式（２−１）
０．９５×Ｚ20（ｘ）≦ ｚ2（ｘ）≦ １．０５×Ｚ20（ｘ）・・・（２−１）
〔式（２−１）において、Ｚ20（ｘ）は、式（２−２）
2011085838.tif 000005
（式（２−２）において、ｗ2aは前記と同じ意味であり、ｈ2aは０．４５０ｗ2a〜０．５１０ｗ2aであり、ｋ2aは−０．２以上＋０．２以下である。）
で定義される。〕
を満たすｚ20（ｘ）で表される光制御板。
【請求項２】
請求項１に記載の複合光制御板と、
互いに離間して配置されており、前記複合制御板を構成する第１の光制御板の第１の面に光を供給する複数の光源とを備えることを特徴とする面光源装置。
【請求項３】
前記光源が線状光源である請求項２に記載の面光源装置。
【請求項４】
請求項２または請求項３に記載の面光源装置と、
前記複数の光源から出力され前記複合光制御板を通過した光によって照明されて画像を表示する透過型画像表示部と
を備えることを特徴とする透過型画像表示装置。
【発明の詳細な説明】
【技術分野】
【０００１】
本発明は、複合光制御板に関する。
【背景技術】
【０００２】
直下型画像表示装置(8')として、例えば図５に示すように、透過型画像表示部(9)の背面側に光源(7')が配置されたものが広く用いられている。透過型画像表示部(9)としては、例えば液晶セル(91)の両面に直線偏光板(92、92)が配置された液晶表示パネルが挙げられる。光源(7')としては、直管型の冷陰極線管などのような線状光源が複数本、互いに平行に配置されて用いられている。
【０００３】
かかる直下型画像表示装置(8')としては、光源(7')からの光を均一に分散させて透過型画像表示部(9)を均一に照明できることが望ましく、このため光源(7')と透過型画像表示部(9)との間には、光源(7')側から入射した光を、その向きを変えて反対側の透過型像表示部(9)側から出射させる機能を有する偏向構造板として、一枚の光制御板(1')が配置されて用いられている〔特許文献１：特開平７−１９８９１３号公報〕。
【０００４】
しかし、従来の偏向構造板は、線状光源からの光を十分に均一なものとすることができず、透過型画像表示部により表示される画像は、線状光源の近傍と、これから離れた位置とで明るさが異なるものになるという問題があった。
【先行技術文献】
【特許文献】
【０００５】
【特許文献１】特開平７−１９８９１３号公報
【発明の概要】
【発明が解決しようとする課題】
【０００６】
そこで本発明者は、線状光源からの光を十分に均一に分散させて、透過型画像表示部を均一に照明できる偏向構造板を開発するべく鋭意検討した結果、本発明に至った。
【課題を解決するための手段】
【０００７】
すなわち本発明は、第１の面から入射した光が該第１の面と反対側に位置する第２の面から出射可能であり、かつ、第１の方向に延在すると共に、該第１の方向に直交する第２の方向に並列配置された複数の凸状部が前記第２の面に形成されている第１の光制御板および第２の光制御板が、互いに重ね合わされてなる複合光制御板であって、
前記第１の光制御板は、以下に定義されるものであり、
前記第２の光制御板は、以下に定義されるものであり、
前記第２の光制御板は、第１の方向が前記第１の光制御板の第１の方向に対して平行であり、
かつ第１の面が第１の光制御板の第２の面と向かい合っていることを特徴とする複合光制御板を提供するものである。
【０００８】
第１の光制御板：前記凸状部の前記第１の方向に直交する断面において、当該凸状部の前記第２の方向に対する両端をとおる軸線をｘ軸とし、前記ｘ軸上において前記両端の中心をとおり前記ｘ軸に直交する軸線をｚ軸としたとき、
上記断面において前記凸状部の輪郭形状が、−０．４７５×ｗ1a ≦ ｘ ≦ ＋０．４７５×ｗ1a〔式中、ｗ1aは前記凸状部のｘ軸方向の長さである。〕で示されるｘの範囲において、式（１−１）
０．９５×Ｚ10（ｘ）≦ ｚ1（ｘ）≦ １．０５×Ｚ10（ｘ）・・・（１−１）
〔式（１−１）において、Ｚ10（ｘ）は、式（１−２）
2011085838.tif 000002
（式（１−２）において、ｗ1aは前記と同じ意味であり、ｈ1aは０．３７５ｗ1a〜０．８２０ｗ1aであり、ｋ1aは−１以上０．２７３以下であり、
ｈ1a、ｗ1aおよびｋ1aは式（１−３）
−３．２８７×（ｈ1a／ｗ1a）＋１．０６２ ≦ ｋ1a ≦ −０．５６７×（ｈ1a／ｗ1a）＋０．４８５…（１−３）
を満足する。）
で定義される。〕
を満たすｚ1（ｘ）で表される光制御板。
【０００９】
第２の光制御板：前記凸状部の前記第１の方向に直交する断面において、当該凸状部の前記第２の方向に対する両端をとおる軸線をｘ軸とし、前記ｘ軸上において前記両端の中心をとおり前記ｘ軸に直交する軸線をｚ軸としたとき、
上記断面において前記凸状部の輪郭形状が、−０．４７５×ｗ2a ≦ ｘ ≦ ＋０．４７５×ｗ2a〔式中、ｗ2aは前記凸状部のｘ軸方向の長さである。〕で示されるｘの範囲において、式（２−１）
０．９５×Ｚ20（ｘ）≦ ｚ2（ｘ）≦ １．０５×Ｚ20（ｘ）・・・（２−１）
〔式（２−１）において、Ｚ20（ｘ）は、式（２−２）
2011085838.tif 000003
（式（２−２）において、ｗ2aは前記と同じ意味であり、ｈ2aは０．４５０ｗ2a〜０．５１０ｗ2aであり、ｋ2aは−０．２以上＋０．２以下である。）
で定義される。〕
を満たすｚ20（ｘ）で表される光制御板。
【発明の効果】
【００１０】
本発明によれば、より安定して輝度ムラを抑制可能な複合光制御板を提供することができる。
【図面の簡単な説明】
【００１１】
【図１】本発明の複合光制御板の一例を模式的に示す図面である。
【図２】本発明の複合光制御板の第２実施態様を模式的に示す図面である。
【図３】本発明の複合光制御板の第３実施態様を模式的に示す図面である。
【図４】本発明の複合光制御板を組み込んだ面光源装置および透過型画像表示装置を模式的に示す図面である。
【図５】従来の面光源装置および透過型画像表示装置を模式的に示す図面である。
【発明を実施するための形態】
【００１２】
〔複合光制御板〕
図１に示すように、本発明の複合光制御板(1)は、第１の光制御板(10)および第２の光制御板(20)が、互いに重ね合わされてなるものである。
【００１３】
〔第１の光制御板〕
第１の光制御板(10)は、第１の面(11)と第２の面(12)とを有する。第２の面(12)は、第１の面と反対側に位置する面である。第１の面(11)から入射した光は、第２の面(12)から出射可能である。
【００１４】
第１の光制御板(10)の第１の面(11)は通常、平坦面である。
【００１５】
第２の面(12)には、凸状部(13)が形成されている。この凸状部(13)は、第一の方向(X11)に延在するものである。この凸状部(13)は、第２の面(12)に複数、形成されており、第２の方向(X12)に並列配置されている。第２の方向(X12)は、第１の方向(X11)に直交する方向である。第２の面(12)に形成される複数の凸状部(13)の断面形状は、凸状部(13)間で概ね同一である。
【００１６】
なお、第１の光拡散板(10)の厚さ(d1)は、第１の面(11)から凸状部(13)の頂部までの距離であり、通常は０．１ｍｍ〜５ｍｍ、好ましくは０．５ｍｍ〜５ｍｍ、さらに好ましくは１ｍｍ〜５ｍｍである。
【００１７】
〔第２の光制御板〕
第２の光制御板(20)は、第１の面(21)と第２の面(22)とを有する。第２の面(22)は、第１の面と反対側に位置する面である。第１の面(21)から入射した光は、第２の面(22)から出射可能である。
【００１８】
第２の光制御板(20)の第１の面(21)は通常、平坦面である。
【００１９】
第２の面(22)には、凸状部(23)が形成されている。この凸状部(23)は、第一の方向(X21)に延在するものである。この凸状部(23)は、第２の面(22)に複数、形成されており、第２の方向(X22)に並列配置されている。第２の方向(X22)は、第１の方向(X21)に直交する方向である。第２の面(22)に形成される複数の凸状部(23)の断面形状は、凸状部(23)間で概ね同一である。
【００２０】
なお、第２の光拡散板(20)の厚さ(d2)は、第１の面(21)から凸状部(23)の頂部までの距離であり、通常は０．１ｍｍ〜５ｍｍ、好ましくは０．１ｍｍ〜２ｍｍ、さらに好ましくは０．１ｍｍ〜１ｍｍである。
【００２１】
〔凸状部〕
第１の光制御板(10)の第２の面(11)に形成される凸状部(13)および第２の光制御板(20)の第２の面(21)に形成される凸状部(23)の断面形状は、それぞれ上記したとおりである。
【００２２】
第１の光制御板(10)の凸状部(13)は、−０．４７５×ｗ1a ≦ ｘ ≦ ＋０．４７５×ｗ1aで示されるｘの範囲において、上記式（１−１）を満たすｚ1（ｘ）で示されていればよく、−０．５×ｗ1a ≦ ｘ ≦ ＋０．５×ｗ1aで示されるｘの範囲、すなわち凸状部(13)の全体において、上記式（１−１）を満たすｚ1（ｘ）で示されてもよい。
【００２３】
第２の光制御板(20)の凸状部(23)は、−０．４７５×ｗ2a ≦ ｘ ≦ ＋０．４７５×ｗ2aで示されるｘの範囲において、上記式（２−１）を満たすｚ2（ｘ）で示されていればよく、−０．５×ｗ2a ≦ ｘ ≦ ＋０．５×ｗ2aで示されるｘの範囲、すなわち凸状部(23)の全体において、上記式（２−１）を満たすｚ2（ｘ）で示されてもよい。
【００２４】
第１の光制御板(10)の凸状部(13)の輪郭線は、凸状部(13)の幅ｗ1aに対してＺ10（ｘ）を求めた場合に、０．９５×Ｚ10（ｘ）で示される輪郭線と、１．０５×Ｚ10（ｘ）で示される輪郭線の間の領域を通る輪郭線であればよい。
【００２５】
第２の光制御板(20)の凸状部(23)の輪郭線は、凸状部(23)幅ｗ2aに対してＺ20（ｘ）を求めた場合に、０．９５×Ｚ20（ｘ）で示される輪郭線と、１．０５×Ｚ20（ｘ）で示される輪郭線の間の領域を通る輪郭線であればよい。
【００２６】
凸状部(13、23)の幅ｗ1a、ｗ2aは、凸状部(13、23)の形成が容易であることから、通常４０μｍ以上、好ましくは８０μｍ以上であり、凸状部(13、23)に起因する模様が肉眼で視認されにくいことから、通常８００μｍ以下、好ましくは４５０μｍ以下である。幅ｗ1a、ｗ2aとして具体的には、４１０μｍ、４００μｍ、３２５μｍ、２８０μｍおよび１００μｍが例示できるが、ｗ1aおよびｗ2aの値はこれに限定されるものではない。
【００２７】
なお、第１の光制御板(10)の凸状部(13)と、第２の光制御板(20)の凸状部(23)とは、互いに同一の断面形状であってもよいし、異なる断面形状であってもよい。
【００２８】
〔光制御板の構成材料〕
第１の光制御板(10)および第２の光制御板(20)は透明材料からなる。透明材料の屈折率は通常１．５６〜１．６２である。透明材料としては、透明樹脂材料、透明ガラス材料が例示でき、透明樹脂材料としては、ポリカーボネート樹脂（屈折率：１．５９）、ＭＳ樹脂（メタクリル酸メチル−スチレン共重合体樹脂）（屈折率：１．５６〜１．５９）、ポリスチレン樹脂（屈折率：１．５９）などが例示され、コストの面および吸湿率が低い点で、好ましくはポリスチレン樹脂である。
【００２９】
透明材料として透明樹脂材料を用いる場合、この透明樹脂材料に紫外線吸収剤、帯電防止剤、酸化防止剤、加工安定剤、難燃剤、滑剤などの添加剤を添加することもできる。これらの添加剤はそれぞれ単独で、または２種以上を組合わせて用いることができる。
【００３０】
紫外線吸収剤としては、例えばベンゾトリアゾール系紫外線吸収剤、ベンゾフェノン系紫外線吸収剤、シアノアクリレート系紫外線吸収剤、マロン酸エステル系紫外線吸収剤、シュウ酸アニリド系紫外線吸収剤、トリアジン系紫外線吸収剤などが挙げられ、好ましくはベンゾトリアゾール系紫外線吸収剤、トリアジン系紫外線吸収剤である。
【００３１】
透明樹脂材料は通常、添加剤として光拡散剤を添加することなく用いられるが、本発明の目的を損なわない僅かな量であれば、光拡散剤を添加して用いてもよい。
【００３２】
〔光制御板の層構成〕
第１の光拡散板(10)および第２の光制御板(20)は、単独の透明材料で構成された単層板であってもよいし、互いに異なる透明材料で構成された層が積層された構造の多層板であってもよい。光制御板(10、20)が多層板である場合、光拡散板(10、20)の片面または両面は、通常１０μｍ〜２００μｍ、好ましくは２０μｍ〜１００μｍの厚みのスキン層が形成された構造とし、このスキン層を構成する透明樹脂材料として紫外線吸収剤が添加されたものを用いることが好ましい。かかる構成とすることにより、光源や外部からの光に含まれることのある紫外線による光拡散板(10、20)の劣化を防止することができ、特に光源として蛍光管などを用いた場合には、蛍光管からの紫外線による劣化を防止できることから、第１の面(11、21)にスキン層が形成されていることが好ましく、このとき第２の面(12、22)にはスキン層が形成されていないことが、コストの面でさらに好ましい。スキン層を構成する透明樹脂材料として紫外線吸収剤が添加されたものを用いる場合、その含有量は、透明樹脂材料を基準として通常０．５質量％〜５質量％、好ましくは１質量％〜２．５質量％である。
【００３３】
第１の光拡散板(10)および第２の光制御板(20)は、片面または両面に帯電防止剤が塗布されていてもよい。帯電防止剤を塗布することにより、静電気によるホコリの付着などを防止して、ホコリの付着による光線透過率の低下を防止することができる。
【００３４】
〔光制御板の製造〕
第１の光拡散板(10)および第２の光制御板(20)は、例えば透明材料から削り出す方法により製造することができる。また、透明材料として透明樹脂材料を用いる場合は、例えば射出成形法、押出成形法、プレス成形法、フォトポリマー法などの通常の方法により製造することができる。
【００３５】
〔複合光制御板〕
本発明の複合光制御板(1)は、かかる第１の光制御板(10)と第２の光制御板(20)とが、互いに重ね合わされてなるものであるが、図１に示すように、第２の光制御板(20)は、第１の方向(X21)が第１の光制御板(10)の第１の方向(X11)に対して直交する。
【００３６】
また、図１に示すように、第２の光制御板(20)は、第１の面(21)が、第１の光制御板(10)の第２の面(12)と向かい合っている。
【００３７】
本発明の複合光制御板(1)を構成する第１の光制御板(10)と第２の光制御板(20)とは通常、空気層を介して重ね合わされ、その間隔は、第１の光制御板(10)の第２の面(12)に形成された凸状部(13)の頂部(13b)から、第２の光制御板(20)の第１の面(21)までの距離(d12)で通常５ｍｍ以下であり、複合光制御板(1)をコンパクトなものとする観点から、この距離(d12)が０ｍｍであって、第１の光制御板(10)に形成された凸状部(13)の頂部(13b)が、第２光制御板(20)の第２の面(21)に接していてもよい。
【００３８】
第１の光拡散板(10)と第２の光拡散板(20)とは、互いに固定することく、単に重ね合わされていてもよいが、互いに位置が移動することによる凸状部の頂部(13b)や第１の面(21)の損傷することを防止しうることから、例えば縁部において、互いに接着されていてもよい。
【００３９】
複合光制御板(1)の形状は通常、長方形であり、そのサイズは目的とする透過型画像表示装置(9)の画面サイズに適合するように選択されるが、通常は２５０ｍｍ×４４０ｍｍ以上、好ましくは１０２０ｍｍ×１８００ｍｍ以下である。
【００４０】
〔第１実施態様〕（図１）
本発明の複合光拡散板(1)は、図１に示すように、上記の第１の光拡散板(10)および第２の光拡散板(20)だけで構成されていてもよい。
【００４１】
〔第２実施態様〕（図２）
本発明の複合光拡散板(1)は、図２に示すように、第２の光拡散板(20)の第２の面(22)側に、等方性光拡散板(30)がさらに重ね合わされていてもよい。
【００４２】
〔等方性光拡散板〕（第１の等方性光拡散板）
等方性光拡散板(30)は、第１の面(31)と第２の面(32)とを有する。第２の面(32)は、第１の面(31)と反対側に位置する面である。第１の面(31)から入射した光は、第２の面(32)から出射可能である。
【００４３】
等方性光拡散板の第１の面(31)および第２の面(32)は通常、平坦面である。
【００４４】
等方性光拡散板(30)は、第１の面(31)から入射した光を東方的に散乱させながら第２の面(32)から出射しうる光学素子であって、例えば透明材料中に光拡散剤が分散されたもの、透明材料からなる基材の表面に光拡散剤を塗布したもの、透明材料からなる基材の表面に微細な円形凸レンズを形成したものが挙げられ、フィルム状であってもよいし、シート状であってもよい。
【００４５】
透明材料としては、第１の光拡散板(10)および第２の光拡散板(20)において挙げたものと同様の透明材料が挙げられる。
【００４６】
光拡散剤として通常は、等方性光拡散板(30)を構成する透明材料とは屈折率が異なる粉末が用いられ、これを透明材料中に分散させて用いられる。かかる光拡散剤としては、例えばスチレン樹脂粒子、メタクリル樹脂粒子などの有機粒子、炭酸カリウム粒子、シリカ粒子などの無機粒子が用いられ、その粒子径は通常０．８μｍ〜５０μｍである。
【００４７】
等方性光拡散板(30)の第１の面(31)から入射した光は、等方性光拡散板(30))中に分散された光拡散剤により等方的に散乱されながら等方性光拡散板(30)中を透過し、第２の面(32)から出射する。
【００４８】
等方性光拡散板(30)の厚さ(d3)は、第１の面(31)から第２の面(32)までの距離であって、通常は０．１ｍｍ〜５ｍｍであり、フィルム状であってもよいし、シート状であってもよい。
【００４９】
かかる等方性光拡散板(30)と第２の光制御板(20)とは通常、空気層を介して重ね合わされ、その間隔は、第２の光制御板(20)の第２の面(22)に形成された凸状部(23)の頂部(23b)から、等方性光拡散板(30)の第１の面(31)までの距離(d23)で通常５ｍｍ以下であり、複合光制御板(1)をコンパクトなものとする観点から、この距離(d23)が０ｍｍであって、第２の光制御板(20)に形成された凸状部(23)の頂部(33b)が、等方性光拡散板(30)の第２の面(31)に接していてもよい。
【００５０】
〔第３実施態様〕（図３）
本発明の複合光制御板は、図３に示すように、第２実施態様（図２）として示した複合光制御板(1)を構成する上記の等方性光拡散板〔以下、第１の等方性光拡散板と称することがある〕(30)の第２の面(32)側に、さらに第２の等方性光拡散板(30')が重ね合わされていてもよい。
【００５１】
この第２の等方性光拡散板(30')は、第１の等方性光拡散板(30)と同様の光拡散板であり、第１の面(31')と第２の面(32')とを有する。第２の面(32')は、第１の面(31')と反対側に位置する面である。第１の面(31')から入射した光は、第２の面(32')から出射可能である。
【００５２】
第２の等方性光拡散板(30')と第１の等方性光拡散板(30)とは通常、空気層を介して重ね合わされ、その間隔は、第１の等方性光拡散板(30)の第２の面(32)から、第２の等方性光拡散板(30')の第１の面(31')までの距離(d33')で通常５ｍｍ以下であり、複合光制御板(1)をコンパクトなものとする観点から、この距離(d33')が０ｍｍであって、上記第１の等方性光拡散板(30)の第２の面(32)が、第２の等方性光拡散板(30')の第１の面(31')に接していてもよい。
【００５３】
〔面光源装置〕
本発明の複合光制御板(1)は、図４に示すように、面光源装置(6)に組み込まれて好適に用いられる。この面光源装置(7)は、本発明の複合光制御板(1)と、光源(7)とを備えるものである。
【００５４】
光源(7)は複数であり、互いに離間して配置されている。この光源(7)は、複合光制御板(1)を構成する第１の光制御板(10)の第１の面(11)に光を供給する。
【００５５】
〔光源〕
光源(7)としては、例えば冷陰極線管などの線状光源、ＬＥＤ（発光ダイオード）などの点状光源である。
【００５６】
複数の光源(7)の間の間隔(L)は、光源中心間の距離で、通常１０ｍｍ〜１５０ｍｍである。光源(7)中心から第１の光制御板の第１の面(11)までの距離(D)は、通常３ｍｍ〜５０ｍｍであり、これらの比〔Ｌ／Ｄ〕は２以上、さらには２．５以上であることが、面光源装置を薄くすることができる点で、好ましい。
【００５７】
〔透過型画像表示装置〕
この面光源装置(7)は、図４に示すように、透過型画像表示装置(8)に組み込まれて好適に用いられる。この透過型画像表示装置(8)は、上記の面光源装置(7)と透過型画像表示部(9)とを備えている。透過型画像表示部(9)は、例えば液晶セル(91)と、その両面に配置された直線偏光板(92)から構成された透過型液晶表示部が例示される。この透過型画像表示装置(8)において、透過型画像表示部(9)は、複合光制御板(1)を透過した光によって照明されて、画像を表示する。複合光制御板(1)を通過する光は、面光源装置(7)を構成する複数の光源(6)から出力される光である。
【００５８】
〔複合光制御板の配置〕
透過型画像表示装置(9)において、複合光制御板(1)は、第１の光制御板(10)の第１の方向(X11)が画面の横方向になるように配置されていてもよいし、縦方向になるように配置されていてもよい。
【図１】
2011085838.tif 000007
【図２】
2011085838.tif 000008
【図３】
2011085838.tif 000009
【図４】
2011085838.tif 000010
【図５】
2011085838.tif 000011